(57)【特許請求の範囲】
【請求項１】
ネットワークを通じて相互にアクセス可能である、端末と、一つ以上のサーバからなる管理サーバとを有し、
上記管理サーバは、
規定の文字コードに含まれない異体字を外字領域のコード番号を割り当てて内字とともに登録した複数の書体についてのフォントファイルを有し、
上記文字コードにおいて個々の文字を指定するコード番号を、読み順又は部首ごとの画数順に区分して並べ、例外的に同一の元字に対応する異体字については画数順に規定される配置ではなく当該元字にデータ順上近接させる配置となるように記録した一般カテゴリリストを含む文字辞書データベースを有し、
上記端末の画面上にＷＥＢからの情報を出力し入力可能なＷＥＢ表示入力サービス手段に対して、文字を含む画像を編集できる画像編集環境を提供するＷＥＢサービスデザイン手段を有し、
上記端末の画像編集環境では、
指定した上記フォントファイルで表現する文字列を入力するため、ＷＥＢ表示入力サービス手段による文字入力を行うテキスト入力手段とともに、上記一般カテゴリリストの順序に従って文字の一覧を表示し、かつその一覧の中から入力すべき文字を選択可能であるカテゴリリスト表示手段を実行させることができ、
上記管理サーバは、
上記端末の画像編集環境において入力又は選択された文字について、指定された上記フォントファイルから字形を生成したイメージファイルを保存するイメージファイル保存手段を有するとともに、当該文字についてのコード番号と作成した上記イメージファイルを指定する符号と、上記書体の識別符号と、当該文字の表示色を指定する符号とをレコードとして保存するイメージ辞書データベースに登録するイメージレコード記録手段とを有し、
上記端末の画像編集環境では、
上記イメージファイルとしてイメージ化された文字の字形を、上記レコードの情報に従って表示する画像を生成し編集する画像編集手段を実行させることができる、
ＷＥＢを介した外字・異体字含有文字群入力利用システム。
【請求項２】
上記管理サーバは、
上記の編集された画像について、当該画像中の文字をイメージ化された文字の字形として描画して、読み出し時には上記フォントファイル及び上記イメージファイルと連動させなくても表示可能となる一般化イメージ画像のファイルを出力するユーザイメージ出力手段を有する、
請求項１に記載の外字・異体字含有文字群入力利用システム。
【請求項３】
上記管理サーバは、
上記端末の画像編集環境において画像中の文字を編集する際には、上記イメージファイルを再生成するイメージファイル保存手段、上記レコードの情報を書き換えるイメージレコード更新手段、又はそれらの両方を実行する、請求項１又は２に記載の外字・異体字含有文字群入力利用システム。
【請求項４】
上記フォントファイルは、一の文字について、書風の異なるフォントファイルにおいて登録される当該文字と字形の異なる形態を取りうる場合、当該異なる形態を異体字として外字登録したものである、
請求項１乃至３のいずれかに記載の外字・異体字含有文字群入力利用システム。
【請求項５】
上記管理サーバは、
上記端末のＷＥＢ表示入力サービス手段に対して、新たな文字を作成できる文字作成手段を提供でき、
上記端末から送信された新たな文字のイメージ情報を上記イメージファイルとして記録し、当該イメージファイルの文字を上記イメージ辞書データベースに外字領域のコード番号を割り当てて登録して、上記文字辞書データベース上で上記の割り当てた当該コード番号から当該異体字を参照可能とする、新規文字登録手段を有する、
請求項４に記載の外字・異体字含有文字群入力利用システム。
【請求項６】
上記文字辞書データベースの上記一般カテゴリリストを含むカテゴリリストは、個々の文字について、それぞれの文字を構成する部首以外のパーツを抜き出した構成文字についてのコード番号を有しており、
上記カテゴリリスト表示手段において、一覧表示させる文字の中から絞り込み可能な要素として、捜索目標である文字を構成する上記パーツにあたる構成文字を指定可能とする、
請求項１乃至５のいずれかに記載の外字・異体字含有文字群入力利用システム。
【請求項７】
上記文字辞書データベースの特殊カテゴリリストとして、「斉藤の斉」「渡辺の辺」「与」「令の字形を含む字」のうち少なくとも一つについて、当該字の異体字を区分して並べたカテゴリリストを有する、
請求項１乃至６のいずれかに記載の外字・異体字含有文字群入力利用システム。
【請求項８】
ネットワークを通じて端末からのアクセスを受け付ける、一つ以上のサーバからなる管理サーバであり、
規定の文字コードに含まれない異体字を外字領域のコード番号を割り当てて内字とともに登録した複数の書体についてのフォントファイルを有し、
上記文字コードにおいて個々の文字を指定するコード番号を、読み順又は部首ごとの画数順に区分して並べ、例外的に同一の元字に対応する異体字については画数順に規定される配置ではなく当該元字にデータ順上近接させる配置となるように記録した一般カテゴリリストを含む文字辞書データベースを有し、
上記端末の画面上にＷＥＢからの情報を出力し入力可能なＷＥＢ表示入力サービス手段に対して、文字を含む画像を編集できる画像編集環境を提供するＷＥＢサービスデザイン手段を有し、
上記ＷＥＢサービスデザイン手段を実行した上記端末の画像編集環境において、
指定した上記フォントファイルで表現する文字列を入力するため、ＷＥＢ表示入力サービス手段による文字入力を行うテキスト入力手段とともに、上記一般カテゴリリストの順序に従って文字の一覧を表示し、かつその一覧の中から入力すべき文字を選択可能であるカテゴリリスト表示手段を実行させることができ、
上記管理サーバは、
上記端末の画像編集環境において入力又は選択された文字について、指定された上記フォントファイルから字形を生成したイメージファイルを保存するイメージファイル保存手段を有するとともに、当該文字についてのコード番号と作成した上記イメージファイルを指定する符号と、上記書体の識別符号と、当該文字の表示色を指定する符号とをレコードとして保存するイメージ辞書データベースに登録するイメージレコード記録手段とを有し、
上記ＷＥＢサービスデザイン手段を実行した上記端末の画像編集環境において、
上記イメージファイルとしてイメージ化された文字の字形を、上記レコードの情報に従って表示する画像を生成し編集する画像編集手段を実行させることができ、
上記管理サーバは、
上記の編集された画像について、当該画像中の文字を上記レコードの常法に従ってイメージ化された文字の字形として描写して、読み出し時には上記フォントファイル及び上記イメージファイルと連動させなくても表示可能となる一般化イメージ画像のファイルを出力するユーザイメージ出力手段を有する、
ＷＥＢを介した外字・異体字含有文字群入力利用システム提供サーバ。
【発明の詳細な説明】
【技術分野】
【０００１】
この発明は、ＷＥＢ上で外字・異体字を入力利用できるシステムに関する。
【背景技術】
【０００２】
コンピュータで出力される文字は、ＡＳＣＩＩコードを基本として、これを拡張した２バイト文字コード、４バイト文字コードが併用されている。日本語における２バイト文字コードとしては、我が国のＪＩＳ規格で定めた基準文字であるひらがなカタカナやその他の記号、第一から第四水準漢字を表現するShift JISやEUCなどのコードが一般に用いられている。４バイト文字コードとしては、国際的な共通コードとして制定されたUnicodeなどが挙げられる。
【０００３】
これらの文字を入力するにはFEP（フロントエンドプロセッサ）やその他の独自プログラムされた方式によって、ローマ字やかな入力からの変換が一般的である。読みがわかりにくかったり、通常の変換では検索できない漢字や記号を入力する際には、文字コードの番号を直接指定して入力したり、文字コードテーブルの一部を表示させて偏や旁などの部首や画数に応じて検索して入力したり、マウスやタッチパットで手書き入力した文字の形を参考に類似文字を検索表示させた中から選択入力したりすることが行われている。しかし、読みが分からない場合や部首の判定が難しい場合など、目的の文字を見つけることが困難なときがある。そして、探そうとしている文字が実際にはこれらの文字コードテーブルに登録されていないケースもある。
【０００４】
人名や地名などで用いられる異体字は、読みを同じくする元字となる字に対して、字形の中でとめ、はね、はらいなどわずかな違いを持つ文字である。その中で例えば旧字体として周知な字形のいくつかは、上記の文字コードテーブルに収録された文字、すなわち内字として定義されているものもあるが、偏や旁などにおいてそれぞれが異なった字形を組み合わせた文字では、そのすべてが上記文字コードテーブルに収録されているわけではなく、外字として定義されているものも多い。例えば、礼、禮は内字の異体字である。しかし、「ネ豊」を組み合わせた文字は、外字の異体字である。
【０００５】
逆に、文字コード上は同じであっても、書体が異なると書風が変わるためにとめやはらいなどの形が変化する文字も存在する。例えば「令」という字形を全部又は一部に有する文字がこれに該当する。令は、明朝体では「令」となるが、楷書体では下部が「マ」と表記される字形（図１５（ａ）参照）となる。このような書風の違いは、文字コード上は異体字としては認識されない。従来のシステムではこれらの違いを区別して入出力することはおろか、探し出すだけでも困難となり、書風・字形の違いを許容して別の字形を入出力せざるを得ない場合も多かった。
【０００６】
部首が異なる例として、草冠や糸偏が挙げられる。草冠の「草」の横棒は一般的な明朝体では繋がっているが、図１５（ｂ）のように、途中が離れている形態が存在する。糸偏の「糸」の下部は、明朝体では「糸」の通常の字体とほぼ同じになる形態が多いが、楷書体などでは、図１５（ｃ）のように糸の下部が三点となる形態がある。
【０００７】
なお、一般的に書風、字形、書体は以下のように定義される。書体は明朝体、ゴシック体、教科書体のように個々のフォントを表している。これに対し書風は、楷書体、行書体などにおける書き方（流派）の違いを表すものである。一般的に書風や書体によって字形は異なることはあるが、それらは同一の文字であって異体字とは認識されない。しかしながら、実際の利用者にとっては、書風や書体による字形の違いであっても文字そのものの違いと捉えている、つまり、異体字と考えているケースが多く、上記の一般的な認識との間に相違がある。
【０００８】
また、目的の異体字が外字であるか内字であるかの区別は分かりづらく、内字であるにも拘わらず、外字であると判断して、異体字を見つけられない場合も多い。例えば「島」の異体字は数多くあるが、次のもの、すなわち「嶋」「嶌」「陦」はいずれも内字となっている。
【０００９】
さらに、ＷＥＢ上では全ての端末に同一書体をインストールすることが現実的には困難であるため、外字の入出力は通常行われることがない。複数のシステム間で字体の共通化が出来たとしても、書体毎に用意しなければならない文字の数が膨大になるため、システム上、内字に加えて外字を管理することは困難である。
【００１０】
特許文献１には、オフラインのパーソナルコンピュータの環境において、外字と異体字とをまとめたデータベースに登録して、このデータベース内ではそれらの文字を固有の識別符号を付して管理することで、外字と内字の区別に関してのハードルを下げ、異体字を検索しやすくする文書処理プログラムが開示されている。
【００１１】
特許文献２には、ＰＣ以外のタブレットやスマートフォンなどの可搬性のあるネットワーク機能搭載端末において利用可能とした、比較的頻出される人名又は地名用の外字をまとめたデータベースを作成し、このデータを個々の端末に表示しつつイメージ化しておき、ネットワーク経由で当該文字コードを参照することで、適宜それらを利用可能にしたシステムが記載されている。
【先行技術文献】
【特許文献】
【００１２】
【特許文献１】特開２００７−１４８８２６号公報
【特許文献２】特開２００５−１９６４２０号公報
【発明の概要】
【発明が解決しようとする課題】
【００１３】
しかしながら、特許文献１の手法は、端末などの装置で完結させることで、それぞれが独自にデータベースを有することで実現するものであり、ネットワーク越しに利用できるものではなかった。
【００１４】
また、特許文献２のシステムは、予め定めた外字をインストールしておく必要があるため、未インストールの端末において必要であっても利用可能にすることができなかった。
【００１５】
さらに、元字に対応する異体字を捜索することがただでさえ困難であるのに、異体字の有無も確かではない状況では、そもそも異体字の利用を諦めてしまうケースも多かった。
【００１６】
そこでこの発明の課題は、ネットワークを介して接続する端末において、異体字の検索を容易に行えるようにして、特にフォントインストールなどの手間を掛けることなく容易に異体字を用いた文書を作成編集し、他の端末で表示及び印刷できるようにすることである。
【課題を解決するための手段】
【００１７】
この発明は、
ネットワークを通じて相互にアクセス可能である、端末と、一つ以上のサーバからなる管理サーバとを有する環境において、
上記管理サーバが、
規定の文字コードに含まれない異体字を外字領域のコード番号を割り当てて内字とともに登録した複数の書体についてのフォントファイルを有し、
上記文字コードにおいて個々の文字を指定するコード番号を、読み順又は部首ごとの画数順に区分して並べ、例外的に同一の元字に対応する異体字については内字外字を問わず画数順に規定される配置ではなく当該元字にデータ順上近接させる配置となるように記録した一般カテゴリリストを含む文字辞書データベースを有し、
上記端末の画面上にＷＥＢからの情報を出力し入力可能であるＷＥＢブラウザなどからなるＷＥＢ表示入力サービス手段に対して、文字を含む画像を編集できる画像編集環境を提供するＷＥＢサービスデザイン手段を有し、
上記端末の画像編集環境では、
指定した上記フォントファイルで表現する文字列を入力するため、ＷＥＢ表示入力サービス手段よる文字入力を行うテキスト入力手段とともに、上記一般カテゴリリストの順序に従って文字のコードテーブルを表示し、かつそのコードテーブルの中から入力すべき文字を選択可能であるカテゴリリスト表示手段を実行させることができ、
上記管理サーバは、
上記端末の画像編集環境において入力又は選択された文字について、指定された上記フォントファイルから字形を生成したイメージファイルを作成するイメージファイル保存手段を有するとともに、当該文字についてのコード番号と作成した上記イメージファイルを指定する符号と、上記書体の識別符号と、当該文字の表示色を指定する符号とをレコードとして保存するイメージ辞書データベースに登録するイメージレコード記録手段とを有し、
上記端末の画像編集環境では、
上記イメージファイルとしてイメージ化された文字の字形を、上記レコードの情報に従って表示する画像を生成し編集する画像編集手段を実行させることができる、
ＷＥＢを介した外字・異体字含有文字群入力利用システムにより上記の課題を解決したのである。
【００１８】
すなわち、上記の画像編集手段においては、上記レコードの情報に従って文字を表示することで、文字の位置や大きさ、書体、表示色を反映させた画像を生成し、その画像を印刷することも可能となる。
【００１９】
また、上記の外字・異体字含有文字群入力システムにおけるさらなる発明として、
上記管理サーバが、
上記の編集された画像について、当該画像中の文字を上記レコードの情報に従ってイメージ化された文字の字形として描画して、読み出し時には上記フォントファイル及び上記イメージファイルと連動させなくても表示可能となる一般化イメージ画像のファイルを出力するユーザイメージ出力手段を有するとよい。その出力されたファイルを受け渡したり、当該ファイルのＷＥＢサーバ部におけるアドレスを指定したりすることで、フォントをインストールしなくても異体字を含む画像を表示させ印刷することができる。
【００２０】
さらに、上記の外字・異体字含有文字群入力システムにおけるさらなる発明として、
上記イメージ辞書データベースが、個々の文字について、それぞれの文字を構成する部首以外のパーツから成る構成文字についてのコード番号を有しており、
上記カテゴリリスト表示手段において、一覧表示させる文字の中から絞り込み可能な要素として、捜索目的である文字を構成する上記パーツを指定可能とすることで、異体字の検索をさらに容易にしたのである。たとえば、「吉」の場合、部首は「口」となるので上記パーツとしては「士」があてはまる。逆に上部が「土」の「つちよし」の場合、上記パーツとしては「土」があてはまる。
【発明の効果】
【００２１】
一般的なフォントファイルに組み込むのではなく、上記イメージ辞書データベースによって参照可能なように、異体字を含めた文字のイメージ情報を上記イメージファイルとして利用し、フォントファイルを参照しない画像として記録するため、Unicodeなどの文字コードテーブルに含まれていない文字であっても、ＷＥＢサービス上で利用することができる。
【００２２】
また、画像の編集に際して、挿入する異体字を選択するにあたっては、一覧表示の際に、元字に近接して異体字を表示させるため、複雑な異体字でも代替字として一般的な元字さえわかれば速やかに選択することができる。さらに、構成文字で絞り込みをかけることでより簡便な選択が可能となる。
【００２３】
さらに、編集した画像について、文字の大きさや位置、書体、色情報などを読み込んだ上でそれらを描写したイメージやファイルを生成するため、フォントファイルをインストールされていない端末であっても、異体字を含む画像をそのまま印刷することができる。さらにまた、ＰＤＦ形式やＰＮＧ形式などの、一般的（汎用的）なラスター形式のイメージ画像又は、ベクター形式として出力することで、その出力したファイルをＷＥＢブラウザから参照したり、メールやメッセージサービスに添付、投稿したりすることで、異体字を含む画像についてさらなる汎用的な表示利用が可能となる。
【図面の簡単な説明】
【００２４】
【図１】この発明にかかるシステムを構成する機能ブロック図
【図２】文字辞書データベースに含まれるカテゴリリストの概念図
【図３】カテゴリリストに含まれる個々の文字情報に含まれる情報の概念図
【図４】「斉藤の斉」の特殊カテゴリリストに該当する例の一部を示す図
【図５】「渡辺の辺」の特殊カテゴリリストに該当する例の一部を示す図
【図６】「与えるの与」の特殊カテゴリリストに該当する例の一部を示す図
【図７】「令を含む漢字群」の特殊カテゴリリストに該当する例の一部を示す図
【図８】（ａ）（ｂ）「部首を超えた異体字」の特殊カテゴリリストに該当する例の一部を示す図
【図９】「特殊文字」の特殊カテゴリリストに該当する例の一部を示す図
【図１０】端末とコア制御部との間の連携した動作を示すシーケンス図
【図１１】イメージ辞書データベースのレコード例を示す図
【図１２】（ａ）画像編集環境で編集する例を示す図、（ｂ）一部変更後の例を示す図
【図１３】画像編集環境で編集する外字を含んだ例を示す図
【図１４】図１０の続きとなる画像を再度編集する際の動作手順を示すシーケンス図
【図１５】（ａ）「令」の異体字例、（ｂ）「草」の異体字例、（ｃ）「紅」の異体字例を示す図
【発明を実施するための形態】
【００２５】
以下、この発明について詳細に説明する。
この発明は、ＷＥＢを介した環境で異体字を入力する文書を編集可能な環境を提供するシステムである。この発明を構成する機能ブロック図を図１に示す。この発明にかかる利用システムは、ネットワーク１５を介して、パソコンなどの端末１１へ、文字を含む画像編集環境を提供するものである。ここで、ネットワーク１５はローカルエリアネットワークでもよいし、インターネットでもよい。すなわち、事業所内に設置したサーバに実装されたシステムを当該事業所内で利用する形態でもよいし、インターネットを経由して世界中の顧客にサービスを提供する形態でもよい。端末１１は、ネットワークインターフェースを有し、画面上にＷＥＢからの情報を出力し入力可能なＷＥＢ表示入力サービス手段１２を実行可能である。このＷＥＢ表示入力サービス手段１２としては、例えば一般的なＷＥＢブラウザソフトを用いると、インストールの手間が不要であり好ましい。このＷＥＢブラウザ上で実行されるHTMLやJavascript（登録商標）、JAVA（登録商標）などの実行環境により、後述する画像編集環境を実現する。具体的な端末１１としては、ネットワークに接続できるパソコンやタブレット、スマートフォン、ゲーム機などを用いることができる。
【００２６】
この発明にかかる利用システムを提供する事業者が管理する側の設備は、一つ又は複数の管理サーバ２０からなる。図示しないが当然に、演算処理を行う演算部と、一時的又は継続的な情報の記憶を行う記憶部と、上記ネットワーク１５に接続する通信部とを有する。上記記憶部としては、揮発性メモリと、データベースやファイルを保存する不揮発性メモリや磁気ディスクなどとを用いる。複数のサーバからなる場合は、それぞれのサーバの上記通信部を介して、上記記憶部が連携可能であるようにする。この環境に、複数のデータベースと、必要なファイル群と、これらを連携させてサービスを提供させるコア制御部２１とを実装する。
【００２７】
上記管理サーバ２０は、利用可能な文字を端末１１から容易に捜索可能にするために、文字を検索しやすいグループに分け、所定の順序で並べたものであるカテゴリリストを一つ以上保有する文字辞書データベース３１を有する。文字辞書データベース３１に含まれるカテゴリリストの概念図を図２に示す。これらのカテゴリリストは、それに含まれる複数の文字について、当該文字を指定する文字コード番号を含む文字情報（図中「文字Ｎ−ｍ」で個々の文字を表示する。）を、所定の順番に並べたリストである。
【００２８】
これらのカテゴリリストに含まれる個々の上記文字情報に含まれる情報の概念図を図３に示す。「文字コード番号」は、この発明にかかるシステムにおいて個々の文字を識別するために付与される識別番号である。Unicodeなどの文字コードテーブルに準拠した番号を使用し上記文字コードテーブルに存在しない文字については、上記文字コードテーブルの外字領域の番号を割り当てる。
【００２９】
「検索用文字コード」とは、当該文字を検索するために用いる当該文字を構成する字の一部の部品を抽出した構成文字に該当する文字のコード番号である。ただし、後述の一般カテゴリリストで部首は検索できるため、部首以外のパーツからなる構成文字について文字コード番号を登録しておくとよい。例えば「倒」の場合、部首である「人（にんべん）」以外の部品である「刀（りっとう：右部分）」、「到」「至」「土」のそれぞれに割り当てたコード番号を、検索用コード１〜ｎとして上記文字情報の中に含める。後述するカテゴリリスト表示手段において、これらの字により絞り込みを行えるようにする。特に異体字の区別において効果を発揮する。例えば「吉」（所謂「さむらいよし」）の場合、部首である「口」以外の構成文字は上部を構成する「士」の文字コード番号が登録される。一方で「吉」の異体字である、上部が「土」である所謂「つちよし」の場合、部首以外の構成文字として「土」の文字コード番号が登録される。絞り込みの際にはこれらの構成文字によって求める文字をどちらからでも抽出可能になる。
【００３０】
「読み」「画数」「意味」などのその他の情報は、適宜必要に応じて登録可能にしておくと、絞り込みの際にこれらの情報を利用することができる。
【００３１】
上記カテゴリリストは、上記のような文字情報をリスト化して保有するものである。このカテゴリリストは、一般的な文字コードの順序に準拠した一般カテゴリリスト３１ａと、本発明の用途において有用な、特殊な異体字の群をまとめた特殊カテゴリリスト３１ｂとの二種類に分類される。少なくとも一般カテゴリリスト３１ａが必要であり、必要に応じて特殊カテゴリリスト３１ｂを拡張、追加するとよい。
【００３２】
上記の一般カテゴリリスト３１ａは、部首ごとにグループ化されたカテゴリリストである。部首「一」のカテゴリリストであれば「一、七、万、三、上、下……」といった字が、グループ内では部首を除く画数順、さらに同画数の中では読みの五十音順を基本的な順序として並べられている。具体的な部首として画数順に挙げると「一（いち）」、「（たてぼう）」「丶（てん）」を始めとして、「龍（りゅう）」「龜（かめ）」「龠（やく）」までが定義されており、これらの一般的な定義に従って、それぞれの部首ごとの一般カテゴリリスト３１ａを保有する。
【００３３】
ただし、この発明においてはその基本的な順序に対する例外規則として、異体字を元字に隣接した位置順に配置する。異体字が一文字であれば元字の直後に、二文字以上であれば元字の直後に画数順に配置するとよい。例えば、「仮」を元字とし、その旧字体でもあり異体字である「假」は、基本的な順序でいえば部首を除いた画数が４と９であり位置が大きく隔たっている。通常は、にんべんの一般カテゴリ中で４画の漢字として「仮」「仰」「仲」「件」・・・と並ぶ。しかし異体字を元字の次に配置するという例外規則により、「仮」「假」「仰」「仲」「件」・・・と並べる。このように配置したカテゴリリストを読み込んで表示すると、「假」（仮の旧字体）は、元字である「仮」を捜索すれば、その次の文字として簡単に見つけることができるようになる。
【００３４】
一方、上記の特殊カテゴリリスト３１ｂは、異体字が特に多い漢字や、特殊記号など、上記の一般カテゴリリスト３１ａだけでは捜索が容易ではない字をまとめて、捜索しやすくするためのものである。まず、「斉藤」や「斎藤」の「斉」や「斎」を始めとする異体字群のリストが挙げられる。これは、一部の略字のように部首さえ変わってしまっている異体字や、類似していても微細な部分の差異がある異体字も含めて、多数の異体字が使用されている。そこで、これらの異体字のみを集めた「斉藤の斉」についての特殊カテゴリリストを用意する。これに入る字は「斉」を筆頭に「斎」、「齊」、「齋」を始めとして、「文」の下に「示」を入れる略字などといったバリエーションも含む、上記文字コードテーブルに登録されているこれらの異体字を有する。この「斉藤の斉」の特殊カテゴリリストに該当する例の一部を図４に示す。さらに、後述する文字作成手段により新たに作成した異体字を登録可能にするのがよい。
【００３５】
また別の特殊カテゴリリスト３１ｂとして、「渡辺」の「辺」の異体字群のリストが挙げられる。「邉」「邊」が代表的な字として挙げられる他、「二点しんにゅう」と「一点しんにゅう」の違いや、上部の辺の数など、微細な部分の差異のある多数の異体字が使用されている。そこで、これらの異体字のみを集めた「渡辺の辺」についての特殊カテゴリリストを用意する。上記の「斉藤の斉」のカテゴリと同じく、上記文字コードテーブルに登録されているこれらの異体字を有する。この「渡辺の辺」の特殊カテゴリリストに該当する例の一部を図５に示す。さらに後述する文字作成手段により新たに作成した異体字を登録可能にするのがよい。
【００３６】
さらに別の特殊カテゴリリスト３１ｂとして、「あたえ」などの名前で使われる与とその旧字体である「與」を始めとする異体字群のリストが挙げられる。與の略字として上部を「リ」と「ホ」で書く形態など、多数のバリエーションが存在している。そこで、これらの異体字のみを集めた「与えるの与」についての特殊カテゴリリストを用意する。上記の「斉藤の斉」のカテゴリと同じく、上記文字コードテーブルに登録されているこれらの異体字を有する。この「与えるの与」の特殊カテゴリリストに該当する例の一部を図６に示す。さらに後述する文字作成手段により新たに作成した異体字を登録可能にするのがよい。
【００３７】
さらにまた別の特殊カテゴリリスト３１ｂとして、「令」及びこの異体字を、字を構成する一部のパーツである構成文字として含有する字群のリストが挙げられる。「令」は明朝体やゴシック体と、楷書体とでは書風が大きく異なる。具体的には下部がたてぼうであったり、「マ」のように斜めのとめに点を打つ形態であったりする。行書の場合後者の形態となることが多い。しかし「令」自体は部首ではなく、それらの異なる形態を含む「れい」の文字群は、一般カテゴリリスト３１ａの部首検索から探し出すことは困難だった。そこで、これらの「令」や下が「マ」になった異体字、およびそれらに様々な部首が付け加わった「令を含む漢字群」の特殊カテゴリリストを用意する。この「令を含む漢字群」の特殊カテゴリリストに該当する例の一部を図７に示す。さらに後述する文字作成手段により新たに作成した異体字を登録可能にするのがよい。
【００３８】
さらにまた別の特殊カテゴリリスト３１ｂとして、部首の字形が異なるために別の部首に分類された異体字を纏めた非類似異体字群のリストが挙げられる。例えば「会」の部首は「にんべん」であるが、その旧字である「會」の部首は「ひらび」である。「党」と「黨」、「円」と「圓」なども、同様に新字と旧字の組み合わせで部首が異なっている。このように上記の一般カテゴリリスト３１ａの例外規則でも部首が異なる字はそもそも同一カテゴリに入らないため、一般カテゴリリスト３１ａを用いた検索では捜索できない。そこで、これらの部首を跨ぐ異体字を、元字の後に続けた「部首を超えた異体字」の特殊カテゴリリストを用意する。このような組み合わせは数が多いため、一つの元字についてカテゴリリストを作るのではなく、複数の元字とその異体字との組み合わせを内包するカテゴリリストを作る方が運用しやすい。この「部首を超えた異体字」の特殊カテゴリリストに該当する例の一部を図８（ａ）（ｂ）に示す。
【００３９】
さらにまた別の特殊カテゴリリスト３１ｂとして、「（株）」や「（有）」といった略字や、「〒（郵便番号）」や「々」「ゝ」など使用頻度の高い記号などを集めたリストが挙げられる。これらは異体字ではないが、いざ入力しようとするとその選択が容易ではない場合がある字である。この「特殊文字」の特殊カテゴリリストに該当する例の一部を図９に示す。
【００４０】
これらの一般カテゴリリスト３１ａ及び特殊カテゴリリスト３１ｂは、さらに必要に応じて新たな文字を追加可能にしておく。特に、一般カテゴリリスト３１ａに異体字を登録する場合には、上記記載の規則のように元字の後に新たな異体字が連続するように挿入する。このようなカテゴリリストへの追加はシステム管理者がその権限の下に行い、ユーザが行えないようにする方が好ましい。
【００４１】
さらに、後述する選択文字確認手段２６において選択された文字の履歴を複数個保持するカテゴリリストである履歴カテゴリリスト３１ｃを有していると好ましい。先に端末１１の利用者が捜索して見出した文字を改めて入力しようとする際に、この履歴カテゴリリスト３１ｃを読み込むことで、速やかにその文字を選択することができる。この履歴カテゴリリスト３１ｃは、端末１１からアクセスするユーザのアカウントごとに個別に作成することが好ましい。また、この履歴カテゴリリスト３１ｃは、上記の一般カテゴリリスト３１ａと違って、ユーザの使用とともに自動的に最新の履歴を更新するのがよい。
【００４２】
上記文字辞書データベース３１は、これらのカテゴリリストをまとめて保有しており、端末１１からの呼び出しに対して、それぞれのリストを送信可能である。ただし、文字辞書データベース３１が保有するカテゴリリストには、コード番号などの検索のために必要な値が記録されているものの、図４〜図９に示されるような個々の字の字形については含まれていない。字形は別途管理サーバ２０が有するフォントファイル３４に登録され、それぞれの字を指すコード番号に従って呼び出される。
【００４３】
フォントファイル３４は、上記文字コードテーブルに含まれる字を収録するが、ファイルは一つではなく、明朝体、ゴシック体、行書体等の書体の違いによって複数のファイルを有しているとよい。また、新たにシステムで使用できる外字を追加した場合には、それぞれのファイルに外字となる文字を当該割り当てたコード番号とともに追加して更新する。
【００４４】
なお、フォントファイル３４は、一の文字について、書風の異なるフォントファイルにおいて登録される当該文字と字形の異なる形態を取りうる場合、当該異なる形態を異体字として外字登録したものであると、一般には異体字とはされないもののユーザが異体字として認識している文字も容易に利用可能となるため好ましい。
【００４５】
例えば、上記の「令を含む漢字群」については、一般に用いられる明朝体やゴシック体フォントでは「令」の字が登録されており、行書体フォントでは下部が「マ」になった字体で登録されることが多い。このように、いずれかのフォントにおいて一方しか登録されていないと、片方しか利用できないことになってしまう。そこでこの発明では、通常のフォントファイルに加えて外字フォントに他方の形態の字を追加することで、両方の「令」について使用可能にする。例えば、通常の「令」に対応するU+4EE4には明朝体やゴシック体では「令」の字を割り当て、外字領域に下部が「マ」となる字体を、楷書体や行書体では、U+4EE4に下部が「マ」となる字体、外字領域に「令」の字を割り当てることになる。これは、運用上、フォントの内字部分の字形を変更することが困難なことが多いことのためである。ただし、この発明では、例えばゴシック体で「令」の字形（内字）を選択したなら、編集時に書体を楷書体に変更しても「令」の字形を堅持する、つまり、コードを内字から外字に変換して利用者の便宜を図ることとしている。
【００４６】
同様に、一点しんにゅうと二点しんにゅうとが字体によって使い分けられている字についても、文字コードテーブルの内字領域と外字領域との両方を用いて、両方の字体をフォントファイル３４に登録するとよい。「葛」など、JIS2004の形態で切り替わった文字についても同様である。
【００４７】
この発明にかかるシステムの管理サーバ２０中のコア制御部２１は、ＷＥＢサービスデザイン手段２２を端末１１のＷＥＢブラウザなどに送信して、個々の端末１１を操作するユーザに対して、上記のカテゴリリストに登録された文字を用いた文字入りの画像の作成、編集、保存を可能にする。実体としては、JAVAやJavascript、その他のＷＥＢ対応言語によって記述されたブラウザ上で実行させるフロントエンドプログラムとなる。
【００４８】
この発明にかかるシステムの、コア制御部２１と端末１１との連携した動作を図１０のシーケンス図とともに説明する。コア制御部２１は端末１１のＷＥＢ表示入力サービス手段１２からのアクセスに対して、ユーザ登録及び登録後の認証を行うユーザ認証手段４０を実行する（Ｓ２１１）。登録されたユーザの端末１１に対して、文字を含む画像の編集環境を提供するため、ＷＥＢサービスデザイン手段２２が画面の構成・表示を特定するためのデータを含む情報を送信するユーザ環境提供手段４１を実行する（Ｓ２１２）。また、コア制御部２１は、個々のユーザについて、ユーザＩＤを発行し、ユーザ作画データベース３５にそれぞれのユーザが作成編集した画像を登録する記憶領域を確保するユーザ領域確保手段４２を実行する（Ｓ２１３）。併せて、そのユーザ用の上記の履歴カテゴリリスト３１ｃを文字辞書データベース３１に確保するユーザ履歴確保手段４３を実行する（Ｓ２１４）。
【００４９】
具体的には、ＷＥＢサービスデザイン手段２２は以下に列挙する手段を端末１１のＷＥＢ表示入力サービス手段１２上で実行するものである。まず基本として、画像を表示、編集し、文字を挿入して編集可能な画像編集環境を提供する画像編集手段２３を実行する（Ｓ１１２）。画像の編集の形式は、ラスター（イメージ）形式でもベクター形式でもよいが、文字列を再編集可能なオブジェクトとして利用できる環境を提供できることが望ましい。文字列以外にも、画像を構成するパーツをレイヤー又はオブジェクトとして個々に分けて取り扱えるとより望ましい。また、この画像編集手段２３に文字を挿入する場合に通常のＷＥＢ表示入力サービス手段に伴うテキスト入力環境を提供するテキスト入力手段２４を実行する（Ｓ１１３）。さらに、通常のテキスト入力環境では捜索が難しい字を捜索する際には、文字辞書データベース３１から上記のカテゴリリストを読み込んで、当該カテゴリリストに含まれる文字をフォントファイル３４から読み込んで画面上に選択可能に表示するカテゴリリスト表示手段２５を実行する（Ｓ１１４）。これらの、テキスト入力手段２４で文字を入力し、又はカテゴリリスト表示手段２５で文字を選択したら、その文字をコア制御部２１へ送信する選択文字確認手段２６を実行する（Ｓ１１５）。
【００５０】
端末１１で上記カテゴリリスト表示手段２５が実行されるとき（Ｓ１１４）、システムのコア制御部２１は、カテゴリリスト表示手段２５からの指示に沿ってカテゴリリストを文字辞書データベース３１から読み込んで端末１１へ送信し、また、それぞれの文字のフォントファイル３４を読み込んで端末１１へ送信するリスト送信手段４４を実行する（Ｓ２２１）。フォントファイル３４については、コア制御部２１の中で指定された文字を一つ一つ抽出して送信するのではなく、端末１１にフォントファイルのまま送る方が、負荷がかかりにくく、端末１１側での文字修正に対応しやすいため好ましい。
【００５１】
なお、上記カテゴリリスト表示手段２５を実行する際には（Ｓ１１４）、一般カテゴリリスト３１ａ、特殊カテゴリリスト３１ｂ、履歴カテゴリリスト３１ｃのいずれかを読み込み、そのリストの順序で一覧表示する。上記の一般カテゴリリスト３１ａにおいて、異体字が元字の後に配置してあるので、表示する際には異体字が元字の直後に表示されるため、検索が容易になる。
【００５２】
また、上記カテゴリリスト表示手段２５を実行する際には（Ｓ１１４）、一覧表示された文字の中から絞り込み可能な要素として、捜索目標である文字を構成する上記パーツにあたる構成文字を指定可能にする構成文字抽出手段（図示せず）を実行すると好ましい。一般カテゴリリスト３１ａ及び特殊カテゴリリスト３１ｂが有する個々の文字情報は、上記の通り、その文字を構成する部首以外のパーツを抜き出した構成文字についてのコード番号を有している。多数の漢字が表示される中で、絞り込みする要素として当該構成文字を入力すると、その構成文字をパーツとして含む文字のみが表示されるようにする。これにより、文字の形から異体字を発見指定しやすくなる。
【００５３】
端末１１で選択文字確認手段２６が実行されると（Ｓ１１５）、入力又は選択された文字を受け取ったコア制御部２１では、当該文字を文字辞書データベース３１の当該ユーザの履歴カテゴリリスト３１ｃに登録する履歴登録手段４５を実行する（Ｓ２３１）。以後にリスト送信手段４４で送信される（Ｓ２２１）履歴カテゴリリスト３１ｃによって、先に選択した文字が速やかに呼び出し可能となる。併せて、現在端末１１側で選択中の書体及び書風に対応するフォントファイルから当該文字の字形を抽出し、現在選択中の色彩、当該文字の字形を個別のイメージファイル３３として保存するイメージファイル保存手段４６を実行するとともに（Ｓ２３２）、イメージ辞書データベース３２に、当該新たな字のレコードを登録するイメージレコード記録手段４７を実行する（Ｓ２３３）。
【００５４】
イメージファイル３３は、ラスター（イメージ）形式でもベクター形式でもある、書体や書風を具体的に反映した字の形態を記録したファイルである。例えば、ＰＮＧ形式、ＳＶＧ形式などのように、背景を透過可能な形式であることが望ましい。基本的には、ユーザがテキスト入力手段２４及びカテゴリリスト表示手段２５で文字を入力、選択するごとに当該文字を抽出してファイル化する。具体的には、フォントファイルに登録された文字サイズ、止め、はね、はらいや太さ、といった部分の形状を含む字形情報を、フォントファイルが有する字の骨格の情報と書風として定義される癖の情報から字形を生成する。このとき、フォントファイルが有する左右・上下位置や部位のバランスなどの相対位置情報を加味して位置を調整してもよい。さらに、相対位置情報から生じる上下左右或いは文字間の幅などのバランスを最適となるように調整する補正情報を読み取った上で、個々の文字をファイル化するとより好ましい。一部のプロポーショナルフォントなど、字幅や字の上下位置が単独で利用するには向かない場合もあるためである。これらの相対位置情報や補正情報の大部分は、フォントファイルに含まれており、イメージファイル保存手段４６が実行される際に適宜フォントファイルからこれらの情報を読み込んだ上で、これらを踏まえて調整したイメージファイルを作成するとよい。
【００５５】
基本的には編集している画像上の一字につき一のイメージファイル３３を生成する。ただし、一つのオブジェクトとして一連の文字列を入力した場合には、それらの文字列（複数のイメージファイル３３）を一つの操作対象として扱えるようにしてもよい。また、同じ画像で一つの文字を複数回使用する場合には、二度目以降はイメージファイル３３を作成しなくてもよい。生成する個々のイメージファイル３３は、他のファイルと重複しないように、ユーザＩＤや編集する画像のＩＤ、あるいは日付などをファイル名に含むようにして、一意に決定されるようにすると好ましい。
【００５６】
イメージ辞書データベース３２には、それぞれのイメージファイル３３を管理するためのデータベースである。このデータベースのレコード例を図１１に示す。「コード番号」は、上記文字コードテーブルに従った、又は上記文字コードテーブルの外字領域に割り当てた、当該文字のコード番号であり、文字辞書データベース３１との間での文字の紐付けが可能な数値である。イメージファイル３３が指定する文字が一文字であれば一つの文字コード番号であり、イメージファイル３３が指定する文字が複数からなる文字列であれば複数の文字の表示配列となる。「書体ＩＤ」は、明朝体、ゴシック体、行書体、楷書体といった書体の区別と、個々の書体での書風の区別まで含めた、イメージファイルの元になったフォントの書体である。イメージファイルで描く字の書体や書風を変更する場合には、新たなフォントファイルから字形を読み込むとともに、当該新たなフォントファイルに併せてこの書体ＩＤを書き換える。「色コード」は、画像上で描写する際の色であり、YMCKやＲＧＢ値で指定するとよい。「ファイル名」は対応するイメージファイル３３のファイル名である。
【００５７】
画像編集手段２３において、一旦入力、又は選択した文字を変更する場合の処理は次のようになる（Ｓ１２１）。まず、フォントを変更すると、コア制御部２１はイメージファイル保存手段４６を再度実行して、イメージファイルを更新保存する（Ｓ２３２）。同時に、イメージレコード更新手段４８が実行されて、イメージ辞書データベース３２の「書体ＩＤ」を変更する（Ｓ２３４）。また、画像編集手段２３において色が変更されると、イメージレコード更新手段４８が実行されて、イメージ辞書データベース３２の「色コード」が変更される（Ｓ２３４）。文字の大きさや位置は、画像内で指定される情報として、データベースによらず変更可能とするとよい。これらの画像の変更前と変更後との例を、図１２（ａ）及び（ｂ）に示す。中央の花壇と、上部の「お母さん、いつもありがとう！」と下部の名前を示す「良太」とがそれぞれ別個のオブジェクトとなっている。「お母さん、いつもありがとう！」と「良太」とは、別個のイメージファイル３３として記録されており、イメージ辞書データベース３２におけるレコードも別個である。ここでは「良太」の部分について、書体を楷書体からゴシック体に変更し、大きさを拡大させている。この編集の際には、コア制御部２１は指定されたゴシック体のフォントで「良太」の二文字を読み込んでイメージファイル３３を更新するイメージファイル保存手段４６を実行し、イメージレコード更新手段４８が書体ＩＤを変更する。色を変える場合も同様にイメージレコード更新手段４８による。
【００５８】
この画像編集手段２３で端末１１に表示された画像は、そのまま端末１１が有するプリンタドライバにイメージを渡す作画印刷手段２９により、紙媒体への印刷ができる。編集のための表示の段階でイメージを読み込むとともに、文字の大きさや配置、書風、色まで指定されて描画されているため、これをそのまま印刷品質のベクター形式として印刷すると好ましい。
【００５９】
編集した画像をユーザが保存しようとする画像保存手段２７を実行すると（Ｓ１３１）、その指示を受けたコア制御部２１は、編集中の画像を構成する個々のオブジェクトと、その画像で指定している文字を表すイメージ辞書データベース３２のレコードを示す情報とを、まとめてユーザ作画データベース３５に保存するユーザ作画記録手段４９を実行する（Ｓ２４１）。文字部分は再編集可能であるように、イメージファイル３３をイメージ辞書データベース３２のレコードにより指定される情報を含むと好ましい。
【００６０】
また、コア制御部２１は、上記の画像保存手段２７と併せて、又は別個に、上記の編集された画像について、当該画像中の文字をイメージ化された文字の字形として描画して、読み出し時には上記フォントファイル及び上記イメージファイルと連動させなくても表示可能となる一般化イメージ画像を出力するユーザイメージ出力手段５０を実行できるとよい。ここで一般化イメージ画像とは、専用のプログラムのインストールなどを必要とせずに他の端末９９が表示可能である、ＪＰＧ形式、ＰＮＧ形式、ＰＤＦ形式などの一般的な画像形式のファイルである。このため、この画像を読み込むときにはフォントファイルを別途用意することなく、ユーザが編集して望んだ形を出力可能である。このため、図１３のように名前に外字を含んでいる場合でも、そのままメッセージを表示できる。「斉藤」や「渡辺」の字が文字コードテーブル上に存在しない苗字の人宛のメッセージであっても、障害なく取り扱うことができる。
【００６１】
上記の出力した一般化イメージ画像を他の端末９９に渡す方法としては、端末１１が出力されたファイルを直接取り込めるとよい。取り込んで保存したファイルは、メールやメッセージサービス、ソーシャルネットワークサービスなどの添付ファイルとして、編集した画像を利用できる。また、管理サーバ２０が、ユーザイメージ出力手段５０で生成したファイルを保存するユーザ作成画像データベース３６を備えており、適宜呼び出し可能としてもよい。
【００６２】
さらに、管理サーバ２０は別途ＨＴＴＰアクセスに対してユーザ作成画像データベース３６の上記一般化イメージ画像のファイルを送信可能なＷＥＢサーバ部５１を有すると好ましい。ユーザ作成画像データベース３６に保存した上記一般化イメージ画像のうち、ユーザが許可をした一部の画像について、パーマリンクを設定して外部からのＨＴＴＰアクセスを可能にする。これにより、ファイルサイズが１Ｍｂｙｔｅを超える大きな写真を含むような、添付に向かない画像であっても、ユーザは設定されたアドレスを指定することで他者に画像の内容を伝えることができる。この場合も、相手方の端末９９は当然にフォントファイルの別途インストールなどを必要とせずに異体字を含む画像を表示できる。
【００６３】
また、上記の出力された一般化イメージ画像のファイルを上記の作画印刷手段２９に渡すことで、端末１１や端末９９で印刷可能としてもよい。
【００６４】
ユーザが作成保存した画像を再度編集する際の動作手順を図１４に沿って説明する。ユーザは端末１１のＷＥＢ表示入力サービス手段１２からコア制御部２１にアクセスし（Ｓ１４１）、ユーザＩＤやパスワードを送信する。ユーザＩＤ等を受信したコア制御部２１はユーザ認証手段４０を実行してユーザ認証した後（Ｓ２５１）、ユーザ環境提供手段４１により、ＷＥＢサービスデザイン手段２２を端末１１に提供する（Ｓ２５２）。端末１１側でＷＥＢサービスデザイン手段２２を実行させて（Ｓ１４２）、その一環であるファイル管理手段２８を実行すると（Ｓ１４３）、指示を受けたコア制御部２１は、当該ユーザがユーザ作画データベース３５に保存した画像を読み出す画像読出手段５２を実行し（Ｓ２５３）、その一覧を端末１１へ送る。ファイル管理手段２８は一覧を端末１１の画面に表示し、ユーザが一覧の中からファイルを選択する。選択された信号がコア制御部２１の画像読出手段５２に送信され、画像読出手段５２は選択された画像について、画像を構成するファイルを読み込むとともに、ファイルに含まれているイメージ辞書データベース３２のレコードの指定や、使用するイメージファイル３３の指定も読み込み、これらをまとめて端末１１に送信する。送られたファイルについて、ＷＥＢサービスデザイン手段２２の中の画像編集手段２３を実行してオブジェクトやレイヤーを展開する（Ｓ１４４）。このとき、イメージ辞書データベース３２のレコードの指定や、イメージファイル３３の指定も読み込んでいるため、画像作成時と同様の再編集が可能となる。
【００６５】
さらにこの発明では、端末１１のＷＥＢ表示入力サービス手段１２に対して、フォントファイル３４が有していない文字を生成できる文字作成手段を提供すると、さらなる異体字にも対応できるようになる。この文字作成手段は、ＷＥＢサービスデザイン手段２２の一環として提供してもよいし、別個に提供されるプログラムであってもよい。具体的には、既存のフォントファイル３４から元字となる字形を読み込んだ上で、点や棒の有無を変更・編集したりすることで、容易に目的の字形を作成できるようにするとより好ましい。管理サーバ２０は、このようにして作成した新たな文字について、イメージファイル３３にその字形をイメージとして登録するとともに、イメージ辞書データベース３２においては例外的に割り当てるコード番号を指定して、フォントファイル３４が管理する外字と重複しないようにする。この指定は、システム管理者が行うことが好ましいが、ユーザごとに限定的な外字のコード番号の領域を割り当てて、その限定的なコード領域の範囲で指定可能としてもよい。また、上記の作成した新たな文字を、フォントファイル３４の当該割り当てられたコード番号によって、他の文字と同様に読み取り可能な異体字として参照可能に登録する新規文字登録手段を実行するとより好ましい。イメージファイル３３であっても、フォントファイル３４であっても、当該コード番号によって呼び出し可能である。また、作成を行った当該ユーザの履歴カテゴリリスト３１ｃに自動登録させることで、以後容易に呼び出し可能となる。さらに、システム管理者が、作成された文字を上記の異体字と同様に、一般カテゴリリスト３１ａの元字の後に登録することで、既存の異体字と同様に呼び出し可能となる。
【符号の説明】
【００６６】
１１  端末
１２  ＷＥＢ表示入力サービス手段（ブラウザ）
１５  ネットワーク
２０  管理サーバ
２１  コア制御部
２２  ＷＥＢサービスデザイン手段
２３  画像編集手段
２４  テキスト入力手段
２５  カテゴリリスト表示手段
２６  選択文字確認手段
２７  画像保存手段
２８  ファイル管理手段
２９  作画印刷手段
３１  文字辞書データベース
３１ａ  一般カテゴリリスト
３１ｂ  特殊カテゴリリスト
３１ｃ  履歴カテゴリリスト
３２  イメージ辞書データベース
３３  イメージファイル
３４  フォントファイル
３５  ユーザ作画データベース
３６  ユーザ作成画像データベース
４０  ユーザ認証手段
４１  ユーザ環境提供手段
４２  ユーザ領域確保手段
４３  ユーザ履歴確保手段
４４  リスト送信手段
４５  履歴登録手段
４６  イメージファイル保存手段
４７  イメージレコード記録手段
４８  イメージレコード更新手段
４９  ユーザ作画記録手段
５０  ユーザイメージ出力手段
５１  ＷＥＢサーバ部
５２  画像読出手段
９９  端末
【図１】
0006539491.tif 000002
【図２】
0006539491.tif 000003
【図３】
0006539491.tif 000004
【図４】
0006539491.tif 000005
【図５】
0006539491.tif 000006
【図６】
0006539491.tif 000007
【図７】
0006539491.tif 000008
【図８】
0006539491.tif 000009
【図９】
0006539491.tif 000010
【図１０】
0006539491.tif 000011
【図１１】
0006539491.tif 000012
【図１２】
0006539491.tif 000013
【図１３】
0006539491.tif 000014
【図１４】
0006539491.tif 000015
【図１５】
0006539491.tif 000016